(57)【要約】【課題】振動が抑制され、切削抵抗が低く抑えられる分割切削型回転カッターを提供する。【解決手段】円板状の台金２の外周に鋸歯状の刃台３を円周方向に所定ピッチで形成し、各刃台３の回転面側に側面視Ｌ字状に切り欠いた載置部４を形成し、該載置部４に超硬合金層５の正面側に多結晶ダイヤモンド層６を一体に有するチップ７を接合してなり、幅方向に位置をずらせた４個の分割刃を配列した組刃を複数組周方向に配列してなる分割切削型回転カッターであって、各組刃を構成する分割刃を回転方向又は反回転方向に向けて右端刃Ａ、左中間刃Ｃ、左端刃Ｄ、右中間刃Ｂの順に配列する。右端刃Ａにおける右側面部及び左端刃Ｄにおける左側面部に多結晶ダイヤモンド層６の欠け抑制手段を備えることができる。【選択図】図１
2017154478.tif 000002
【特許請求の範囲】
【請求項１】
円板状の台金の外周に鋸歯状の刃台を円周方向に所定ピッチで形成し、各刃台の回転面側に側面視Ｌ字状に切り欠いた載置部を形成し、該載置部に超硬合金層の正面側に多結晶ダイヤモンド層を一体に有するチップを接合してなり、幅方向に位置をずらせた４個の分割刃を配列した組刃を複数組周方向に配列してなる分割切削型回転カッターであって、各組刃を構成する分割刃を回転方向又は反回転方向に向けて右端刃、左中間刃、左端刃、右中間刃の順に配列してなることを特徴とする分割切削型回転カッター。
【請求項２】
右端刃における右側面部及び左端刃における左側面部に多結晶ダイヤモンド層の欠け抑制手段を備えたものである請求項１に記載の分割切削型回転カッター。
【請求項３】
欠け抑制手段が、右端刃における右側面部及び左端刃における左側面部にそれぞれ保護部材を接合したものである請求項２に記載の分割切削型回転カッター。
【請求項４】
欠け抑制手段が、右端刃における右側面角部及び左端刃における左側面角部にそれぞれ面取りを施したものである請求項２に記載の分割切削型回転カッター。
【発明の詳細な説明】
【技術分野】
【０００１】  本発明は、防振性に優れた分割切削型回転カッターに関するものである。
【背景技術】
【０００２】  脆い窯業系外装材を切断するブレークソーであって、ブレークソーの送り速度を高くすることができながら、ワークの切断終了時に該ワークに欠けや亀裂の発生がなく、さらに粉砕歯の磨耗・損傷を低減させて経済性を向上させた新規なブレークソーとして、特許文献１には、円板状の台金の外周部に多数の粉砕刃を円周方向及び軸方向に配列してなる粉砕カッターを設け、軸方向同位置となるグループ粉砕刃内の各粉砕刃の歯丈を台金の反回転方向に向けて順次高くし、前記粉砕カッターの一方の側部に外周部に多数の切断刃を一列状に有する切断カッターを同軸に設けたものが開示されている。【０００３】  グループ粉砕刃内の各粉砕刃の歯丈を台金の反回転方向に向けて順次高くするというように、組刃とした場合は、各刃の並びを順次歯丈を高くする又は順次低くするのが、一般的である。
広幅の側面を切削する場合、広幅の平刃カッターでは切削抵抗が大きくなるので、切削幅を狭くし幅方向に位置をずらせた複数のチップを組合せた分割切削型回転カッターが用いられる。かかる分割切削型の回転カッターでも、一般に、図２、図４（ｂ）の従来例１に示すように、組刃を構成する各刃の並びを、幅方向において右端側から左端側へ順次一定幅で位置をずらせて配列する。又は図３、図４（ｃ）の従来例２に示すように、組刃を構成する各刃の並びを、幅方向において右端側から左端側へ、次いで右端側へ順次一定幅で位置をずらせて配列する。このように、幅方向に順次一定幅で位置をずらせて配列するのが通常である。【０００４】  しかし、組刃を構成する各刃の並びが幅方向に規則的に位置をずらせた配列であると、振動が大きくなって、切削抵抗も大きくなり易くなる。このため、バリや毛羽が発生したりして切削面が不良となり易くなる。
【先行技術文献】
【特許文献】
【０００５】
【特許文献１】  特開２００５−１６９５９６号公報
【発明の概要】
【発明が解決しようとする課題】
【０００６】  そこで、本発明の目的は、振動が抑制され、切削抵抗が低く抑えられる分割切削型回転カッターを提供することにある。
【課題を解決するための手段】
【０００７】  上記課題を解決するため、本発明による分割切削型回転カッターは、円板状の台金の外周に鋸歯状の刃台を円周方向に所定ピッチで形成し、各刃台の回転面側に側面視Ｌ字状に切り欠いた載置部を形成し、該載置部に超硬合金層の正面側に多結晶ダイヤモンド層を一体に有するチップを接合してなり、幅方向に位置をずらせた４個の分割刃を配列した組刃を複数組周方向に配列してなる分割切削型回転カッターであって、各組刃を構成する分割刃を回転方向又は反回転方向に向けて右端刃、左中間刃、左端刃、右中間刃の順に配列してなること、を特徴としている。
ここで、右端刃における右側面部及び左端刃における左側面部に多結晶ダイヤモンド層の欠け抑制手段を備えたものとすることができる。
欠け抑制手段が、右端刃における右側面部及び左端刃における左側面部にそれぞれ保護部材を接合したものとすることができる。
また、欠け抑制手段が、右端刃における右側面角部及び左端刃における左側面角部にそれぞれ面取りを施したものとすることができる。
【発明の効果】
【０００８】  本発明による分割切削型回転カッターによれば、幅方向に位置をずらせた４個の分割刃を配列した組刃を複数組周方向に配列してなる分割切削型回転カッターであって、各組刃を構成する分割刃を回転方向又は反回転方向に向けて右端刃、左中間刃、左端刃、右中間刃の順に配列してなるので、回転中の振動が抑制され、切削抵抗が抑制されることとなる。バリや毛羽の発生が抑制されて、良好な切削面が得られる。
右端刃における右側面部及び左端刃における左側面部に多結晶ダイヤモンド層の欠け抑制手段を備えたものとすれば、切削作業中に多結晶ダイヤモンド層の欠けの発生が抑制され、再研磨回数が減ることがなくなる。このため、ランニングコストの上昇を押さえることができる。
欠け抑制手段が、右端刃における右側面部及び左端刃における左側面部にそれぞれ保護部材を接合したものとすれば、切れ刃以外の多結晶ダイヤモンド層の側面部が確実に保護されるので、欠けの発生を有効に防止することができる。
また、欠け抑制手段が、右端刃における右側面角部及び左端刃における左側面角部にそれぞれ面取りを施したものとすれば、角部が鈍角となって欠けの発生を抑制できる。
【図面の簡単な説明】
【０００９】
【図１】  第１実施例による分割切削型回転カッターの説明図で、（ａ）は１組の組刃を合成した正面図、（ｂ）は組刃のそれぞれを示す正面図、（ｃ）は側面図である。
【図２】  従来例１による分割切削型回転カッターの説明図で、（ａ）は１組の組刃を合成した正面図、（ｂ）は組刃のそれぞれを示す正面図、（ｃ）は側面図である。
【図３】  従来例２による分割切削型回転カッターの説明図で、（ａ）は１組の組刃を合成した正面図、（ｂ）は組刃のそれぞれを示す正面図、（ｃ）は側面図である。
【図４】  組刃を構成する各刃の並びを１周（１回転）分表した説明図で、（ａ）は第１実施例による分割切削型回転カッター、（ｂ）は従来例１による分割切削型回転カッター、（ｃ）は従来例２による分割切削型回転カッターの場合を示す。
【図５】  第１実施例の分割切削型回転カッターによる窯業系サイディングボードの切削試験の結果を示す図面代用写真で、上段は切削面を縦方向上方から見た写真、中段は切削面を横方向上面側から見た写真、下段は切削面を横方向下面側から見た写真である。
【図６】  従来例１の分割切削型回転カッターによる窯業系サイディングボードの切削試験の結果を示す図面代用写真で、上段は切削面を縦方向上方から見た写真、中段は切削面を横方向上面側から見た写真、下段は切削面を横方向下面側から見た写真である。
【図７】  従来例２の分割切削型回転カッターによる窯業系サイディングボードの切削試験の結果を示す図面代用写真で、上段は切削面を縦方向上方から見た写真、中段は切削面を横方向上面側から見た写真、下段は切削面を横方向下面側から見た写真である。
【図８】  第１実施例の分割切削型回転カッターによるアルミニウム合金材の切削試験の結果を示す図面代用写真で、上段は切削面を縦方向上方から見た写真、下段は切削面を横方向下面側から見た写真である。
【図９】  従来例１の分割切削型回転カッターによるアルミニウム合金材の切削試験の結果を示す図面代用写真で、上段は切削面を縦方向上方から見た写真、下段は切削面を横方向下面側から見た写真である。
【図１０】  従来例２の分割切削型回転カッターによるアルミニウム合金材の切削試験の結果を示す図面代用写真で、上段は切削面を縦方向上方から見た写真、下段は切削面を横方向下面側から見た写真である。
【図１１】  面粗さ測定部位を示す説明図で、（ａ）は窯業系サイディングボード、（ｂ）はアルミニウム合金材の場合を示す。
【図１２】  第２実施例による分割切削型回転カッターの説明図で、（ａ）は１組の組刃を合成した正面図、（ｂ）は組刃のそれぞれを示す正面図、（ｃ）は左端刃を示す平面図、（ｄ）は被削材の切削幅を示す説明図、（ｅ）は側面図である。
【図１３】  第２実施例の分割切削型回転カッターにおける再研磨の様子を示す説明図である。
【図１４】  第３実施例による分割切削型回転カッターの説明図で、（ａ）は１組の組刃を合成した正面図、（ｂ）は組刃のそれぞれを示す正面図、（ｃ）は左端刃を示す平面図、（ｄ）は被削材の切削幅を示す説明図、（ｅ）は側面図である。
【図１５】  第３実施例の分割切削型回転カッターにおける再研磨の様子を示す説明図である。
【図１６】  第１実施例の分割切削型回転カッターにおける再研磨の様子を示す説明図である。
【発明を実施するための形態】
【００１０】  以下、本発明を実施するための形態を図面に基づいて具体的に説明する。なお、図１〜図３、図１２、図１４において、多結晶ダイヤモンド層を斜線で描画してある。
本発明による分割切削型回転カッター１は、円板状の台金２の外周に鋸歯状の刃台３を円周方向に所定ピッチで形成し、各刃台３の回転面側に側面視Ｌ字状に切り欠いた載置部４を形成し、該載置部４に超硬合金層５の正面側に多結晶ダイヤモンド層６を一体に有するチップ７を接合してなり、幅方向に位置をずらせた複数（４個）の分割刃を配列した組刃を複数組周方向に配列してなる分割切削型回転カッターであって、各組刃を構成する分割刃を回転方向又は反回転方向に向けて右端刃Ａ、左中間刃Ｃ、左端刃Ｄ、右中間刃Ｂの順に配列してなるものである。
【００１１】  各刃台３に接合されるチップ７は、超硬合金からなる基材５に多結晶ダイヤモンド層６を形成した超高圧焼結体の一体物からなるワンチップ構造をなし、この一体物からなるチップ７の多結晶ダイヤモンド層６がすくい面を構成する。
【００１２】  １組の組刃は、幅方向に位置をずらせて配置した複数（４個）の分割刃からなり、幅方向右端に配置する右端刃Ａ、幅方向右寄りに配置する右中間刃Ｂ、幅方向左寄りに配置する左中間刃Ｃ、幅方向左端に配置する左端刃Ｄから構成される。右端刃Ａと右中間刃Ｂ、右中間刃Ｂと左中間刃Ｃ、左中間刃Ｃと左端刃Ｄとは、それぞれ幅方向のずれ幅を略同じにしてある。
そして、本発明の分割切削型回転カッター１では、１組の組刃は、回転カッターの回転方向又は反回転方向に向けて、右端刃Ａ、左中間刃Ｃ、左端刃Ｄ、右中間刃Ｂの順に配列されてなる。このような配列とすることにより、回転カッターの振動が抑制されることとなる。１組の組刃を構成する各分割刃は、一定のずれ幅で順次位置をずらせて配置されたものではない。
【００１３】  図１に示す第１実施例の分割切削型回転カッター１は、先端切れ刃８の幅をそれぞれ８ｍｍ幅とし、幅方向に位置をずらせた４個のチップ（右端刃Ａ、左中間刃Ｃ、左端刃Ｄ、右中間刃Ｂ）を１組とし、一周に５組、計２０刃としたものである。４個１組のチップ（分割刃）を合成すると、図１（ａ）に示すように、先端切れ刃８の幅は１９ｍｍで、実際の切削幅は１６ｍｍとなっている。なお、４個の各チップＡ〜Ｄにはリ−ド角（１５°（右リード）又は−１５°（左リード））を付与してある。すくい角は１０°である。
この第１実施例においては、１組の組刃は、回転カッターの反回転方向に右端刃Ａ、左中間刃Ｃ、左端刃Ｄ、右中間刃Ｂの順に配列されてなり、一定のずれ幅で順次位置をずらせて配置されたものではない（図４（ａ））。
【００１４】  一方、従来例１の分割切削型回転カッター２０は、図２に示すように、先端切れ刃８の幅をそれぞれ８ｍｍ幅とし、幅方向に位置をずらせた４個のチップ（右端刃Ａ、右中間刃Ｂ、左中間刃Ｃ、左端刃Ｄ）を１組とし、一周に５組、計２０刃としたものである。４個１組のチップを合成すると、図２（ａ）に示すように、先端切れ刃の幅は１９ｍｍで、実際の切削幅は１６ｍｍとなっている。なお、４個の各チップＡ〜Ｄにはリ−ド角（１５°（右リード）又は−１５°（左リード））を付与してある。すくい角は１０°である。１組の組刃を構成する分割刃の配列が相違するのみで、他の構成は第１実施例の分割切削型回転カッターと同じである。
この従来例１においては、１組の組刃は、回転カッターの反回転方向に右端刃Ａ、右中間刃Ｂ、左中間刃Ｃ、左端刃Ｄの順に配列されてなり、幅方向において右端側から左端側へ順次略一定幅で位置をずらせて配列されている（図４（ｂ））。
【００１５】  また、従来例２の分割切削型回転カッター２１は、図３に示すように、先端切れ刃８の幅をそれぞれ８ｍｍ幅とし、幅方向に位置をずらせた６個のチップ（右端刃Ａ、右中間刃Ｂ、左中間刃Ｃ、左端刃Ｄ、左中間刃Ｃ、右中間刃Ｂ）を１組とし、一周に２組、次いで、幅方向に位置をずらせた４個のチップ（右端刃Ａ、右中間刃Ｂ、左中間刃Ｃ、左端刃Ｄ）を１組とし、１周に２組、計２０刃としたものである。１回転当たり右端刃Ａが４刃、右中間刃Ｂが６刃、左中間刃Ｃが６刃、左端刃Ｄが４刃設けてある。各チップを合成すると、図３（ａ）に示すように、先端切れ刃の幅は１９ｍｍで、実際の切削幅は１６ｍｍとなっている。なお各チップＡ〜Ｄにはリ−ド角（１５°（右リード）又は−１５°（左リード））を付与してある。すくい角は１０°である。組刃を構成する分割刃の配列が相違するのみで、他の構成は第１実施例の分割切削型回転カッターと同じである。
この従来例２においては、回転カッターの反回転方向に右端刃Ａ、右中間刃Ｂ、左中間刃Ｃ、左端刃Ｄ、左中間刃Ｃ、右中間刃Ｂの順に２組配列され、次いで、右端刃Ａ、右中間刃Ｂ、左中間刃Ｃ、左端刃Ｄの順に２組配列され、計２０刃となっている。（図４（ｃ））。幅方向において右端側から左端側へ、次いで右端側へ順次略一定幅で位置をずらせて配列する。このように、幅方向に順次略一定幅で位置をずらせて配列されている。
なお、図４において、一点鎖線は、幅方向の中央を示す。
【００１６】  切削加工試験１
立フライス盤を用い、回転速度Ｎ：１１５ｒｐｍ、送り速度Ｆ：１０００ｍｍ／分、切込み量ｄ：１０ｍｍ、１刃当たりの送りｆｚ：１．７４ｍｍ／刃の条件で、被削材１０として厚さ１６ｍｍの窯業系サイディングボードの側面を切削加工した。図１に示した第１実施例の分割切削型回転カッター１、図２に示した従来例１の分割切削型回転カッター２０、図３に示した従来例２の分割切削型回転カッター２１について、それぞれ上記の条件で切削加工試験を行った。
【００１７】  その結果、図５に示すように、第１実施例による分割切削型回転カッター１では、毛羽の発生が見られず、良好な切削面であった。これに対し、図６、図７に示すように、従来例１、従来例２の分割切削型回転カッターでは、いずれも毛羽の発生が認められ良好な切削面とはいえなかった。
また、切削時の切削音を比較したところ、第１実施例による分割切削型回転カッター１では９２ｄＢ、従来例１では９８ｄＢ、従来例２では９９ｄＢであり、第１実施例では従来例１及び２に比べ、切削音が大幅に低く、切削抵抗が小さかったことが分かる。本発明による刃の並びのため振動が低く抑えられ、サイディングボード内に含有する繊維質の切断も容易となり、切削抵抗も小さくなったものといえる。
また、切削面の面粗さを測定した結果を表１に示す。面粗さの測定部位は、図１１（ａ）に示すように、矢印で示す切削方向に対して入口部、中央部、出口部の３箇所とした。測定方向は、横挽きと縦挽きについて行った。数値が小さい程、面粗さが良好（小さい）であることを示す。
【００１８】
【表１】
2017154478.tif 000003
【００１９】  表１から分かるように、縦挽きでは第１実施例と従来例１及び２とでそれほど大きな差はないが、横挽きでは、第１実施例が他の従来例１及び２に比べて、入口では若干数値が大きいが数値自体はそれ程大きくなく、特に中央及び出口で大幅に数値が小さく、面粗さが良好であることが分かる。
以上のように、本発明による分割切削型回転カッターは、窯業系サイディングボードの切削加工に好適であることが分かる。
窯業系サイディングボードの量産加工においては、通常、回転速度が２２００ｒｐｍ、送り速度が３０〜４０ｍ／分程度で切削加工するが、本発明による分割切削型回転カッターは、振動が抑制されるので、より高送りでも十分に対応できるものと期待できる。
【００２０】  切削加工試験２
立フライス盤を用い、回転速度Ｎ：２６５０ｒｐｍ、送り速度Ｆ：１０００ｍｍ／分、切込み量ｄ：０．５ｍｍ、１刃当たりの送りｆｚ：０．０７５ｍｍ／刃の条件で、被削材１０として厚さ１６ｍｍのアルミニウム合金  Ａ５０５２材の側面を切削加工した。図１に示した第１実施例の分割切削型回転カッター１、図２に示した従来例１の分割切削型回転カッター２０、図３に示した従来例２の分割切削型回転カッター２１について、それぞれ上記の条件で切削加工試験を行った。
【００２１】  その結果、第１実施例による分割切削型回転カッター１では、図８に示すように、ほとんどむしれの発生は見られず、良好な切削面であった。これに対し、従来例１の分割切削型回転カッターでは、図９に示すように、切削面にむしれの発生がみられ、良好な切削面とはいえなかった。また、従来例２の分割切削型回転カッターでは、図１０に示すように、僅かであるが切削面にむしれの発生が認められた。
また、切削時の切削音を比較したところ、第１実施例では９３．９ｄＢ、従来例１では９６．３ｄＢ、従来例２では９３．６ｄＢであった。第１実施例による分割切削型回転カッター１では、従来例２と略同レベルであるが、従来例１に比べ切削音が低く、切削抵抗が小さかったことが分かる。本発明による刃の並びのため振動が低く抑えられ、切削抵抗も小さくなったものといえる。
また、切削面の面粗さを測定した結果を表２に示す。面粗さの測定部位は、図１１（ｂ）に示すように、矢印で示す切削方向に対して入口部、中央部、出口部の３箇所とした。測定方向は、横挽きと縦挽きについて行った。数値が小さい程、面粗さが良好であることを示す。
【００２２】
【表２】
2017154478.tif 000004
【００２３】  表２から分かるように、第１実施例は、横挽きでは従来例２と大きな差異はないが、従来例１に比べて大幅に数値が低く、面粗さが良好であることが分かる。縦挽きでは第１実施例が他の従来例１及び２に比べて数値が低く、面粗さが良好であることが分かる。
以上のように、本発明による分割切削型回転カッターは、アルミニウム合金など非鉄金属の切削加工にも好適であることが分かる。
【００２４】  次に、本発明の第２実施例による分割切削型回転カッター１１は、多結晶ダイヤモンド層６の欠け抑制手段として、チップ７の切れ刃８以外の両側面部に保護部材９，９を接合したものである。
具体的には、本発明の第２実施例による分割切削型回転カッター１１は、図１２に示すように、幅方向に位置をずらせた４個のチップ（右端刃Ａ，左中間刃Ｃ，左端刃Ｄ，右中間刃Ｂ）を１組とする組刃において、幅方向の両端側となるチップ（右端刃Ａ及び左端刃Ｄ）の幅方向の両側面部（左端刃Ｄの左側面部及び右端刃Ａの右側面部）に多結晶ダイヤモンド層６の欠け抑制手段としてそれぞれ保護部材９，９を接合したものである。４個１組のチップ（分割刃）を合成すると、図１２（ａ）に示すように、保護部材９，９を含めた幅は２３ｍｍ、先端切れ刃８の幅は１９ｍｍで、実際の切削幅は１６ｍｍとなっている（同図（ｄ））。図１２では、４個１組とし、回転方向に向かって右端刃Ａ→左中間刃Ｃ→左端刃Ｄ→右中間刃Ｂの順に配列したもので、１周に４組、計１６刃としたものである。なお、４個の各チップＡ〜Ｄにはリード角（３５°（右リード）又は−３５°（左リード））を付与してある。すくい角は１０°である。
【００２５】  保護部材９としては、鑞付け可能な部材であれば特に限定されるわけではないが、焼入鋼、超硬合金又はサーメットがコスト的にも有利である。
これにより、切れ刃８以外の多結晶ダイヤモンド層６の両側面部が保護部材９，９により保護されることになる。このため、切削作業の際に、多結晶ダイヤモンド層６の側面角部を基点とするフレーク状の欠けの発生は皆無となる。
なお、保護部材９は、切削作業に際し、作用刃８に寄与しない部分に在るので、切削作業に何らの支障を及ぼすことはない。
【００２６】  第１実施例の分割切削型回転カッター１の場合、多結晶ダイヤモンド層６の欠け抑制手段を備えていないため、図１６に示すようなフレーク状の欠け１２を生ずることがあり、例えば一点鎖線で示すように、外周側から６回再研磨して再利用できるが、それ以上は、フレーク状の欠け１２があるため、再研磨して使用することができない。これに対し、第２実施例による分割切削型回転カッター１１においは、欠けは発生しないので、図１３に示すように、９回再研磨して再利用することができる。
【００２７】  次に、本発明の第３実施例による分割切削型回転カッター１３は、多結晶ダイヤモンド層６の欠け抑制手段として、チップ７の切れ刃８以外の多結晶ダイヤモンド層６の両側面部に面取り１４を施したものである。
具体的には、本発明の第３実施例による分割切削型回転カッター１３は、図１４に示すように、幅方向に位置をずらせた４個のチップ（右端刃Ａ，左中間刃Ｃ，左端刃Ｄ，右中間刃Ｂ）を１組とする組刃において、幅方向の両端側となるチップ（右端刃Ａ及び左端刃Ｄ）の幅方向の両側面（左端刃Ｄの左側面及び右端刃Ａの右側面）角部に多結晶ダイヤモンド層６の欠け抑制手段として面取り１４，１４を施したものである。４個１組のチップ（分割刃）を合成すると、図１４（ａ）に示すように、チップ全体の幅は２０ｍｍ、先端切れ刃８の幅は１９ｍｍで、実際の切削幅は１６ｍｍとなっている（同図（ｄ））。図１４では、４個１組とし、回転方向に向かって右端刃Ａ→左中間刃Ｃ→左端刃Ｄ→右中間刃Ｂの順に配列したもので、１周に４組、計１６刃としたものである。なお、４個の各チップＡ〜Ｄにはリード角（３５°（右リード）又は−３５°（左リード））を付与してある。すくい角は１０°である。
【００２８】  面取り１４の幅は０．０５〜０．５ｍｍ、面取り角度は１５°〜４５°とするとよい。かかる面取り１４を施せば、多結晶ダイヤモンド層６の両側角部が鈍角となり剛性が高まるので、硬い切り粉が側面角部に衝突しても欠けの発生を抑制できる。
なお、面取り部１４は、切削作業に際し、作用刃８に寄与しない部分に在るので、切削作業に何らの支障を及ぼすことはない。
【００２９】  第１実施例の分割切削型回転カッター１の場合、図１６に示すようなフレーク状の欠け１２があると、上記と同様、外周側から６回再研磨して再利用できるが、それ以上はできない。これに対し、第３実施例による分割切削型回転カッター１３では、欠けの発生が抑制されるので、図１５に示すように、９回再研磨して再利用することができる。
【００３０】  なお、上記の第１実施例、第２実施例、第３実施例の分割切削型回転カッターの説明において示した先端切れ刃の幅、リ−ド角、すくい角等の数値は一例であって、被削材の種類、切削条件等により適宜変更可能であることは勿論である。
【符号の説明】
【００３１】１  分割切削型回転カッター
２  台金
３  刃台
４  載置部
５  超硬合金層
６  多結晶ダイヤモンド層
７  チップ
８  切れ刃
９  保護部材
１０  被削材
１１  分割切削型回転カッター
１２  欠け
１３  分割切削型回転カッター
１４  面取り
Ａ  右端刃
Ｂ  右中間刃
Ｃ  左中間刃
Ｄ  左端刃
【図１】
2017154478.tif 000005
【図２】
2017154478.tif 000006
【図３】
2017154478.tif 000007
【図４】
2017154478.tif 000008
【図５】
2017154478.tif 000009
【図６】
2017154478.tif 000010
【図７】
2017154478.tif 000011
【図８】
2017154478.tif 000012
【図９】
2017154478.tif 000013
【図１０】
2017154478.tif 000014
【図１１】
2017154478.tif 000015
【図１２】
2017154478.tif 000016
【図１３】
2017154478.tif 000017
【図１４】
2017154478.tif 000018
【図１５】
2017154478.tif 000019
【図１６】
2017154478.tif 000020